(57)【要約】食品材料を切断する切断システム及び方法が記載されている。切断システムは、送込み搬送面を備えた送込みコンベアと、送出し搬送面を備えた送出しコンベアとを備える。送込み及び送出しのコンベアは、終端間配置にて配置されている。該システムはまた、切断を行うときにナイフが移動する切断面を形成した切断ナイフを備える。その切断面は、送込み及び送出しのコンベアの端間に形成される。切断システムはまた、送出し搬送面に面する表面で、切断ナイフで食品材料が切断されている間、送出し搬送面に置かれている食品材料の一部に圧力を加えることができるように送出し搬送面に関して配置された表面を備えた送出し押下装置をさらに備える。
2022502272.tif 000002
【特許請求の範囲】
【請求項１】
食品材料を切断する切断システムであって、
送込み搬送面を備えた送込みコンベアと、
送出し搬送面を備えた送出しコンベアと、ここで送込みコンベア及び送出しコンベアは、終端間配置にて配置されており、
切断を実行するときに移動する切断面を形成する切断ナイフと、ここで切断面は、送込みコンベアと送出しコンベアとの端間に形成されており、
を備え、
当該切断システムは、送出し搬送面に面する表面で、切断ナイフで切断されている間、送出し搬送面に置かれている食品材料の一部に、送出しコンベアの搬送面の方向に圧力を加えることができるように送出し搬送面に対して配置された表面を備えた送出し押下装置をさらに備えた、
切断システム。
【請求項２】
送込み搬送面に面する表面で、切断ナイフで切断されている間、送込み搬送面に置かれている食品材料の一部に圧力を加えることができるように送込み搬送面に対して配置された表面を備えた送込み押下装置をさらに備えた、請求項１に記載の切断システム。
【請求項３】
送込み押下装置及び／又は送出し押下装置は、電動高さ調整機構を備える、請求項１又は２に記載の切断システム。
【請求項４】
電動高さ調整機構は、送出し押下装置及び／又は送込み押下装置と切断面との間の最小距離のような距離が一定であるような実質的に一定のままである間に高さが調整可能なように配置されている、請求項３に記載の切断システム。
【請求項５】
切断ナイフの切断面の上流の食品材料をスキャンするように構成されたスキャナをさらに備える、請求項１から４のいずれかに記載の切断システム。
【請求項６】
切断システムは、スキャナからデータを受信し、受信したデータに基づいて輪郭を計算し、計算された輪郭に基づいて、送込み押下装置及び／又は送出し押下装置の高さを制御するように構成された制御ユニットをさらに備える、請求項３から５のいずれかに記載の切断システム。
【請求項７】
送込み押下装置は、送込み搬送面に面する搬送面を有するコンベアを備え、及び／又は、送出し押下装置は、送出し搬送面に面する搬送面を有するコンベアを備える、請求項１から６のいずれかに記載の切断システム。
【請求項８】
送出しコンベアの搬送面が第１平面を形成し、送出し押下装置の搬送面が第２平面を形成し、第１及び第２の平面が切断ナイフの少なくとも切断面の近くで０−２５度の角度を形成し、切断ナイフの切断面は、切断ナイフの少なくとも切断面の近くで第１平面と８５−９５度の角度を形成する、請求項７に記載の切断システム。
【請求項９】
切断ナイフが切断を実行した直後及び／又は切断ナイフが２つの連続した切断を実行する間のような、切断ナイフが切断を実行した後に、切断ナイフの切断面から離れる下流方向におけるような、送出しコンベアの搬送速度が、切断ナイフの切断面の方への下流方向におけるような、送込みコンベアの搬送速度よりも大きいように、切断を実行する切断ナイフを制御し、さらに、送出しコンベアの搬送速度及び／又は送込みコンベアの搬送速度を制御するように構成されたコントローラを備えた、請求項１から８のいずれかに記載の切断システム。
【請求項１０】
切断ナイフが切断を実行した直後及び／又は切断ナイフが２つの連続した切断を実行する間のような、切断ナイフが切断を実行した後に、最初は切断ナイフの両側において隣接する食品材料間の距離が増加するように、切断を実行する切断ナイフを制御し、さらに、送出しコンベアの搬送速度及び／又は送込みコンベアの搬送速度を制御するように構成されたコントローラを備えた、請求項１から９のいずれかに記載の切断システム。
【請求項１１】
少なくとも送出しコンベアの搬送速度を制御し、切断を実行するように切断ナイフを制御するように、さらに、切断ナイフが切断を実行するときに、切断ナイフの切断面から離れるように送出しコンベアの搬送面を加速するように構成されたコントローラを備えた、請求項１から１０のいずれかに記載の切断システム。
【請求項１２】
少なくとも送出しコンベアの搬送速度を制御し、切断を実行するために切断ナイフを制御するように、さらに、切断ナイフが切断を実行した直後及び／又は切断ナイフが２つの連続した切断を実行する間のような、切断ナイフが切断を実行した後に、切断ナイフの切断面から離れるように送出しコンベアの搬送面を加速するように構成されたコントローラを備えた、請求項１から１１のいずれかに記載の切断システム。
【請求項１３】
送出し押下装置は、送出し搬送面に面する搬送面を有するコンベアを備え、コントローラは、切断ナイフが切断を実行するときに、切断ナイフの切断面から離れるように送出し押下装置の搬送面を加速するようにさらに構成される、請求項９から１２のいずれかに記載の切断システム。
【請求項１４】
送出し押下装置は、送出し搬送面に面する表面を有するコンベア手段を備え、コントローラは、さらに、切断ナイフが切断を実行した直後及び／又は切断ナイフが２つの連続した切断を実行する間のような、切断ナイフが切断を実行した後に、切断ナイフの切断面から離れるように送出し押下装置の表面を加速するように構成される、請求項９から１３のいずれかに記載の切断システム。
【請求項１５】
コントローラは、送出しコンベアよりも高速で送出し押下装置のコンベアを加速するように構成される、請求項９から１４のいずれかに記載の切断システム。
【請求項１６】
コントローラは、送込みコンベアの搬送速度を制御し、送出しコンベアが加速されている間、送込みコンベアの搬送速度を一定に保つようにさらに構成される、請求項９から１５のいずれかに記載の切断システム。
【請求項１７】
送込み押下装置の表面及び／又は送出し押下装置の表面は、食品材料の輪郭に少なくとも部分的に適応可能にするように柔軟性を有する、請求項１から１６のいずれかに記載の切断システム。
【請求項１８】
送出し押下装置及び送込み押下装置のそれぞれの一部のような、垂直下の搬送面に最も近い及び／又は切断面に最も近い、送出し押下装置の一部は、上記搬送面に垂直でそこから離れる方向において、例えば少なくとも１ｍｍ又は２ｍｍ又は５ｍｍ又は１０ｍｍ、食品材料によって変位するように配置され、この変位のために食品材料によって作用する力は、１００ニュートン以下の力の作用に関して少なくとも１０ｍｍ以下で変位するように、１００ニュートン以下、例えば１０ニュートン以下、１ニュートン以下である、請求項１から１７のいずれかに記載の切断システム。
【請求項１９】
送出し押下装置と切断ナイフとの間の距離が、少なくとも切断中、５０ｍｍ以下、例えば４０ｍｍ以下、３０ｍｍ以下、２５ｍｍ以下、２０ｍｍ以下、１５ｍｍ以下、１０ｍｍ以下、５ｍｍ以下など、である、請求項１から１８のいずれかに記載の切断システム。
【請求項２０】
少なくとも食品材料がないときにおいて、送出し押下装置と送出しコンベアとの間の、例えば最小距離のような距離が、２００ｍｍ以下、例えば１００ｍｍ以下、５０ｍｍ以下、４０ｍｍ以下、３０ｍｍ以下、２５ｍｍ以下、２０ｍｍ以下、１５ｍｍ以下、１０ｍｍ以下、５ｍｍ以下など、である、請求項１から１９のいずれかに記載の切断システム。
【請求項２１】
当該切断システムが送込み押下装置を備え、少なくとも食品材料がないときにおいて、送込み押下装置と送込みコンベアとの間の最小距離のような距離は、例えば５０ｍｍ以下、４０ｍｍ以下、３０ｍｍ以下、２５ｍｍ以下、２０ｍｍ以下、１５ｍｍ以下、１０ｍｍ以下、５ｍｍ以下、０ｍｍなど、である、請求項１から２０のいずれかに記載の切断システム。
【請求項２２】
コンベア手段によって搬送されている間に、切断ナイフによって切断された、入ってくる食品材料のようなものを、受け取り回転するように構成された回転装置をさらに備え、ここで、入ってくる食品材料の長手方向軸は、入ってくる食品材料の搬送方向に対して第１角度を形成し、上記回転装置は、
−入ってくる食品材料における前部のほとんどの食品材料と係合するように構成された第１の回転装置と、
第１の回転装置に接続され、前部のほとんどの食品材料と係合する間、第１の回転装置の角度位置を調整して、第１の回転装置によって解放されたときに、前部のほとんどの食品材料の長手方向軸が食品材料の搬送方向に対して第２角度を形成するように構成された第１の移動機構と、
を備える、請求項１から２１のいずれかに記載の切断システム。
【請求項２３】
食品材料の少なくとも幾つかを搬送するために配置された２つのコンベアをさらに備え、任意的に２つのコンベアの少なくとも１つが切断ナイフの下流に配置され、また２つのコンベアが送込みコンベア及び送出しコンベアであるように、終端間配置で配置され、当該切断システムは、さらに、
２つのコンベア間のギャップを閉じる又は開くように、２つのコンベア間の相対位置を調整する移動機構と、
１つ以上の他の選択された食品材料がさらに下流へ搬送される間に、１つ以上の選択された食品材料がギャップに落ちてもよいように、２つのコンベア間のギャップを閉じる又は開くように、移動機構を制御する制御装置と、
を備える、請求項１から２２のいずれかに記載の切断システム。
【請求項２４】
切断システムの使用により食品材料を切断する方法であって、切断システムは、
切断ナイフと、
送込み搬送面を備えた送込みコンベアと、
送出し搬送面を備えた送出しコンベアと、ここで送込みコンベア及び送出しコンベアは、終端間配置で配置され、
送出し押下装置と、
を備え、
当該方法は、
送込みコンベアの搬送面において食品材料を搬送すること、
食品材料が送出しコンベアの搬送面に係合すること、
送出し押下装置が送出しコンベアの搬送面に食品材料を押圧すること、
食品材料が送出しコンベアに対して少なくとも押圧されている間に、切断ナイフが切断面で食品材料を切断すること、
を備える、切断方法。
【請求項２５】
切断システムは、さらに送込み押下装置を備え、当該方法は、
食品材料が送込みコンベアに対して及び送出しコンベアに対して同時に押圧されながら、切断ナイフが切断面において食品材料を切断することを備える、請求項２４に記載の方法。
【請求項２６】
さらに、切断ナイフが切断を実行するとき、送出しコンベアの搬送面を切断ナイフの切断面から離すように加速することを備える、請求項２４又は２５に記載の方法。
【請求項２７】
さらに、切断ナイフが切断を実行した直後及び／又は切断ナイフが２つの連続した切断を実行する間のような、切断ナイフが切断を実行した後に、送出しコンベアの搬送面を切断ナイフの切断面から離れるように加速することを備える、請求項２４から２６のいずれかに記載の方法。
【請求項２８】
切断ナイフが切断を実行した直後及び／又は切断ナイフが２つの連続した切断を実行する間のような、切断ナイフが切断を実行した後に、切断ナイフの切断面から離れる下流方向におけるような送出しコンベアの搬送速度が、切断ナイフの切断面の方への下流方向におけるような送込みコンベアの搬送速度よりも大きいように、
送出しコンベアの搬送速度、及び／又は
送込みコンベアの搬送速度
を制御することをさらに備える、請求項２４から２７のいずれかに記載の方法。
【請求項２９】
切断ナイフが切断を実行した直後及び／又は切断ナイフが２つの連続した切断を実行する間のような、切断ナイフが切断を実行した後に、最初には切断ナイフの両側における隣接した食品材料間の距離が増加するように、
送出しコンベアの搬送速度、及び／又は
送込みコンベアの搬送速度
を制御することをさらに備える、請求項２４から２８のいずれかに記載の方法。
【発明の詳細な説明】
【技術分野】
【０００１】
本発明は、食品材料処理の分野に関し、特には、切断ナイフ及びコンベアを備えた食品材料切断システム、及びこのようなシステムの動作方法に関する。
【背景技術】
【０００２】
食品材料を切断する種々のシステムが知られている。そのようなシステムの一つの部門は、切断ナイフの方へ食品材料を搬送する少なくとも一つのコンベアを備える。コンベアの搬送速度、及び時間内に既定点でのコンベアにおける食品材料の位置を知ることによって、食品材料の所望の面においてナイフの切断が実行可能であり、食品材料を所望サイズの個片へ分割する。幾つかの例では、これらの個片は、後続の食品材料加工ステップで処理される。このような例では、取り上げコンベアにおける切断後の個片の位置/方向が予期するものになるように、切断が良好に制御されることが最も重要であるかもしれない。
【０００３】
しかしながら、これは一般的には当てはまらない。一例として、これらの個片が食品材料の細長片である場合、ナイフからの衝撃は、結果として生じる食品材料片の制御されない動きに帰着し、即ち、それらは、部分的に位置を変え及び／又は部分的に回転することになる。これは、多くの場合、例えば材料片の向きを変えるように手作業でしか解決できない問題を引き起こす。
【発明の概要】
【０００４】
第１態様において、発明の実施形態は、食品材料を切断する切断システムを提供し、該切断システムは、
送込み搬送面を備えた送込みコンベアと、
送出し搬送面を備えた送出しコンベアと、ここで送込み及び送出しのコンベアは、終端間配置にて配置されている、
切断を行うときに切断ナイフが移動する切断面を有する切断ナイフと、ここで切断面は、送込み及び送出しのコンベアの端間に形成される、
を備え、
該切断システムは、送出し搬送面に面する表面で、切断ナイフで食品材料が切断されている間、送出し搬送面に置かれている食品材料の一部に、送出しコンベアの搬送面の方向において圧力を加えることができるように送出し搬送面に関して配置された表面を備えた送出し押下装置をさらに備える。
【０００５】
食品材料は、例えば、畜牛/乳牛、豚、子羊、鳥肉などからの肉材料のような、肉材料であってもよい。食品材料は、例えば、５００ｇ未満、４００ｇ未満、３００ｇ未満、２００ｇ未満、１００ｇ未満のような、６００ｇ未満の重さを有する肉材料であってもよい。食品材料は、生、未加工、又は加工済のものであってよい。好ましい実施形態では、肉材料は、鳥肉、例えば骨抜きの鳥の脚肉である。
【０００６】
実施形態において、食品材料は、互いに対して異なるサイズである、又は異なるサイズであってもよい。これは、例えば、動物の独特な個々の特徴が、例えばプライマルカットなど、派生材料のサイズの相違を必然的に伴うところの鳥製品によるケースであるかもしれない。
【０００７】
実施形態において、切断ナイフは、滑らかなエッジを有する（切断ナイフのエッジが波打っていない、及び／又は鋸歯状ではない等）。これの考えられる利点は、切断ナイフのエッジの（存在しない）窪みに材料が蓄積あるいは付着することができないということである。
【０００８】
第２態様では、本発明の実施形態は、切断システムを使用することによって食品材料を切断する方法を提供し、この切断システムは、
切断ナイフと、
送込み搬送面を備えた送込みコンベアと、
送出し搬送面を備えた送出しコンベアと、ここで送込み及び送出しのコンベアは、終端間配置にて配置されている、
送出し押下装置と、
を備え、
切断方法は、
送込みコンベアの搬送面において食品材料を搬送すること、
食品材料が送出しコンベアの搬送面に係合すること、
送出し押下装置が送出しコンベアの搬送面に食品材料を押圧すること、
食品材料が送出しコンベアに対して少なくとも押圧されている間に、切断ナイフが切断平面において食品材料を切断すること、
を備える。
【０００９】
送込みコンベア及び切断ナイフと組み合わせた送出し押下装置及び送出しコンベアの提供のおかげで、食品材料のより制御された切断及び取り扱いが達成され得る。さらに、送出し押下装置が食品材料に圧力を加え、それによって食品材料を送出しコンベアに押圧することができることから、切断中の食品材料の制御されない移動リスクがより少なくなる。そのような制御されていない移動は、潜在的に不正確な切断につながる可能性があり、それによって不正確な切断食品材料部分のサイズ/重量につながる可能性がある。ある場合には、制御されていない移動は、食品材料及び／又は切断された食品材料部分を、送込み及び／又は送出しのコンベアの搬送面から落下させる可能性さえある。これはまた、利益の浪費及び／又は損失につながる可能性がある。
【００１０】
本記述において、「切断された食品材料部分（切断食品材料部分）」という用語は、切断ナイフによって食品材料の別の部分から切断された食品材料の任意の部分として理解されるべきである。食品材料は、送込みコンベアで搬送され、切断ナイフで順次切断されることから、最終的には目標サイズに到達する、あるいはさらに減じる必要のない、目標サイズを下回るであろう。これが起こると、目標サイズの食品材料は、さらに切断されず、さらに切断されることなく切断ナイフを通過してもよい。そのような目標サイズの食品材料はまた、本記述内の切断食品材料部分と見なされてもよい。
【００１１】
さらに、送出し押下装置は、送出しコンベアの搬送面に食品材料を押圧することができるので、それにより食品材料と送出しコンベアの搬送面との間の摩擦を増加させることができる。このことは、送出しコンベアの能力を向上し、切断された食品材料部分の移動が制御される。切断された食品材料部分の改善され制御された移動は、例えば、切断が実行された後の切断ナイフの切断面に対する切断された食品材料部分の位置を最適化するために利用することができ、これは、切断ナイフに付着する切断された食品材料部分のリスクを低減可能だろう。
【００１２】
本明細書で定義されるような具現化されたシステム及び方法は、１つ又は複数の食品材料を複数の切断された食品材料部分に連続的に切断するために利用されてもよい。この場合、送出し押下装置は、食品材料が切断されているとき、及び食品材料が切断された直後に、食品材料に連続的に圧力を加える。そして、食品材料が切断されているときなどに圧力をかける。この場合、送出し押下装置は、切断された食品材料部分の互いに対する位置の改善された制御を可能にする。これにより、送出しコンベアの搬送面における切断された食品材料部分の配置精度の改善を図ることができる。この改善された配置は、切断された食品材料部分の配置を少なくとも部分的に保持しながら、切断された食品材料部分を輸送容器及び／又は販売食品材料容器に移送するために利用されてもよい。このことは、切断された食品材料部分の移送前及び／又は移送中に、切断された食品材料部分を再配置する必要性を最小にすることができるだろう。さらに、切断中及び／又は切断後における切断された食品材料部分の制御されない移動は、送出しコンベアにおける切断された食品材料部分の不規則な配向及び／又は配置につながる可能性があり、これは、個々の切断された食品材料部分が送出しコンベアにおいてランダムに配向され及び/又は配置された場合には、それらが分離及び／又は区別することがより困難になるので、その後の、仕分け及び／又は梱包ステップの動作に弊害をもたらす可能性がある。例えば、いくつかの切断された食品材料部分は、再切断のために、又は残りの切断された食品材料部分以外の異なる製品で使用するために処分することが望ましい場合がある。そのような処分は、送出しコンベアにおける切断された食品材料部分の制御された配向及び／又は配置により、より容易に実行され得る。
【００１３】
送込みコンベア、送出しコンベア、送出し押下装置、及び切断ナイフのそれぞれは、切断システムの１つ又は複数の制御ユニットによって電動化及び制御されてもよい。送込み及び送出しのコンベアは、個々のユーザーのニーズに最も良く適合するように直線又は曲線の経路を形成してもよい。
【００１４】
このシステムは、少なくとも切断ナイフの切断面の近くで、平行に走行する少なくとも２つの送込みコンベアを備えてもよい。少なくとも２つの送込みコンベアは、食品材料が例えば皮をむく又は骨抜きされることによって切断されるために準備可能な、異なる例えば食品材料準備システムから、切断ナイフの切断面へ食品材料を供給してもよい。そのような実施形態では、少なくとも２つの送込みコンベアにおける食品材料は、切断ナイフによって同時に切断されてもよい。本実施形態では、システムは、送込みコンベアと共に終端間配置において配置された少なくとも２つの送出しコンベアをさらに備えてもよい。この場合、異なる送込みコンベアにおける食品材料に由来する切断された食品材料部分は、例えば、異なる切断された食品材料部分の梱包ステーションにつながる、異なる送出しコンベアに配置されてもよい。
【００１５】
送出し押下装置及び／又は送込み押下装置の表面は、ローラー、送出しコンベアの搬送面の摩擦係数と比較して低い摩擦係数を有する搬送面又は表面を備えてもよい。送出し押下装置及び／又は送込み押下装置の表面は、ロボットウォーカーリンク機構を備えてもよい。
【００１６】
本発明の好ましい実施形態では、送込みコンベアは、食品材料を第１速度で搬送し、送出しコンベアは、食品材料を第２速度で搬送し、切断ナイフは、食品材料が送込みコンベア及び送出しコンベアによって搬送されている間に、食品材料を切断する。そして、具現化された切断システムは、第１速度で食品材料を運ぶように送込みコンベアを制御し、第２速度で食品材料を運ぶように送出しコンベアを制御し、及び第３速度で移動しながら同時に切断動作を行うように切断ナイフを制御するように構成された制御ユニットを備えてもよい。
【００１７】
これらの場合、食品材料は、切断ナイフで切断されている間に移動している。これにより、食品材料が切断されている間、送込みコンベア及び/又は送出しコンベアを停止させる必要がないので、切断システムの効率を改善することができる。
【００１８】
本発明の一実施形態では、第３速度は、第１速度及び第２速度の両方よりも、少なくとも１０倍、例えば少なくとも２５倍、例えば少なくとも５０倍、大きい。搬送速度に比べて切断ナイフの速い速度は、切断品質を改善することができる。さらに、この場合、切断ナイフの速度は、搬送速度の少なくとも１０倍よりも大きいので、食品材料が搬送されていても、改善された切断精度で切断されながら比較的少ない移動であろう。
【００１９】
切断は、送込み搬送面に面する表面で、切断ナイフで切断されている間、送込みコンベアの表面に置かれた食品材料の一部に圧力を加えることができるように、送込み搬送面に対して配置された表面、を備えた送込み押下装置をさらに備えてもよい。この場合、送込みコンベアに対する食品材料の固定は、送込み押下装置が送込みコンベアの搬送面に対して食品材料を押下することを可能にすることによって、さらに改善されてもよい。送込みコンベアに対して食品材料のより正確に制御された位置を有することによって、切断ナイフの切断面に対する食品材料のより正確に制御された位置も達成可能である。これにより、より正確な切断が可能になり、その結果、浪費が少なくなる。
【００２０】
本発明のいくつかの実施形態では、切断ナイフの切断面と送出し押下装置及び／又は送込み押下装置との間の距離は、送出しコンベア及び／又は送込みコンベアの搬送方向において測定されたとき、切断された食品材料部分の平均長さよりも短く、好ましくは上記長さの半分未満である。この場合、食品材料が切断されている間、送出し及び／又は送込みのコンベアの方へ食品材料に圧力を加える送出し及び／又は送込みの押下装置の有効性が改善され得る。
【００２１】
送込み押下装置及び／又は送出し押下装置は、電動高さ調整機構を備えてもよい。この場合、１つ又は複数の電動高さ調整機構は、好ましくは、自動操作用の、切断システムの１つ又は複数の制御ユニットによって制御される。これは、押下装置が食品材料に作用可能な圧力の改善された制御のために、制御された明確な高さ調整を可能にする。食品材料の輪郭がわかっている場合には、電動押下装置は、食品材料が通過するときに食品材料の輪郭に追従するように制御されてもよい。したがって、食品材料に作用される圧力は、より正確に制御可能である。これにより、食品材料と、送込みコンベア又は送出しコンベアの搬送面との間に、切断された食品部分のサイズ/重量の許容できない不正確さを引き起こす程度まで食品材料が変形する程に大きい圧力をかけずに、搬送面に対して食品材料を固定するのに十分な大きさの摩擦を達成する目的で、加える圧力を最適化することができる。
【００２２】
一実施形態では、送込み押下装置及び送出し押下装置は、押下装置の高さ調整の同期性を高めるために、単一の電動高さ調整機構によって電動化される。
【００２３】
一実施形態によれば、電動高さ調整機構は、送出し押下装置及び／又は送込み押下装置と、切断面との間の、最小距離などの、距離が、一定など実質的に一定のままである間に高さが調整可能であるように配置されている。このことのあり得る利点は、一方側における送出し押下装置及び／又は送込み押下装置のそれぞれと、他方側における切断面との間の最小距離が、増加により最適な切断ができなくなる可能性がある高さ調整中でさえ、いかなるときでも増加しないことを保証することである。このことの別のあり得る利点は、一方側における送出し押下装置及び／又は送込み押下装置のそれぞれと、他方側における切断面との間の最小距離が、増加により送込み押下装置及び／又は送出し押下装置が切断ナイフによって損傷する可能性がある場合、例えば距離がゼロに近づくあるいはゼロになる場合における、高さ調整中でさえ、いかなるときでも減少しないことを保証することである。上述の距離を高さ調整中に実質的に一定に保つことは、例えば、切断面に平行な平面における切断面に最も近い、送込み押下装置及び／又は送出し押下装置の部分を移動することにより高さを調整することによって、実現できるであろう。「実質的に一定」とは、上述の最小距離が変化することなく、例えば２ｍｍを超えて変化することなく、高さが調整できること（例えば、食品材料から離れた位置から移動し、及び食品材料と接触するまで移動するように）、例えば少なくとも５ｍｍ、少なくとも１０ｍｍなど、少なくとも５０ｍｍなど、少なくとも１００ｍｍなど、と理解することができる。
【００２４】
実施形態では、送出し押下装置は、コンベアベルトを備える。実施形態では、送出し押下装置は、送出し搬送面に対してある角度を形成する実質的に真っ直ぐな、例えば直線の、表面を備え、ここで上記角度は、送出し押下装置と切断ナイフとの間の距離を調整することなく調整することができる。これは、例えば、切断面に最も近い（及び隣接する）プーリーと同軸である軸の周りに送出し押下装置（実質的に真っ直ぐな表面を含む）を回転することによって実現されてもよい。
【００２５】
切断システムは、切断ナイフの切断面の上流の食品材料をスキャンするように配置されたスキャナをさらに備えてもよい。これにより、切断システムの制御ユニットが、スキャンに基づいて、送込み押下装置及び／又は切断ナイフ及び／又は送出し押下装置を制御することを可能にする。
【００２６】
切断システムは、スキャナからデータを受信し、受信したデータに基づいて輪郭を計算し、計算された輪郭に基づいて、送込み押下装置及び／又は送出し押下装置の高さを制御するように構成された制御ユニットをさらに備えてもよい。これにより、各押下装置の最適化された制御が可能になり、切断された食品材料部分のサイズ/重量の許容できない不正確さを引き起こす程度まで食品材料が変形するような大きな圧力をかけないで、同時に、食品材料と、送込み及び送出しのコンベアの搬送面との間に、搬送面に対して食品材料を固定するのに十分な大きさの摩擦を達成する可能性を有する。
【００２７】
切断システムは、スキャナからデータを受信するように構成され、かつ、受信したデータに基づいて（例えば、受信したデータ、並びにそこから導出されたデータ、例えば輪郭、重さ、高さ、幅、長さ及び密度のいずれか１つなどに基づいて）、送出しコンベアの搬送速度、及び／又は送込みコンベアの搬送速度を制御するように構成された、制御ユニットをさらに備えてもよい。
【００２８】
考えられる利点は、切断後に、切断面の両側における２つの隣接する食品材料を、例えば互いに分離するために、互いに相対的に移動するための異なる戦略が受信したデータに応じて適用できることであろう。例えば、異なる戦略は、他の２つの食品材料と比較して比較的薄い（例えば、コンベアからの高さがより低い）及び／又は比較的軽い２つの食品材料に関して有利に適用されるかもしれない。より良い空間的分離の見込まれる利点は、それが後続の回転及び／又は切断においてより良い精度を容易にすることであるかもしれない。
【００２９】
別の例では、切断後に、送出しコンベアにおける切断面に隣接し、その幅よりも大きい高さ（スキャナ及び部分計算などの、スキャナからの情報に基づく）を有する食品部分は、送出しコンベアの速度を制御する（例えば、送出し押下装置の速度に対して）ことによって傾けられる（９０°）ことができるだろう。その結果、その食品部分は、その（より大きな）「側面」にて横たわり、送出しコンベアにおいてより安定して置かれるだろう。
【００３０】
傾斜は、例えば、送出しコンベアの速度と比較して、送出し押下コンベアに、より大きな速度を適用することによって達成されるであろう。
【００３１】
送込み押下装置は、送込み搬送面に面する搬送面を有するコンベアを備えてもよく、送出し押下装置は、送出し搬送面に面する搬送面を有するコンベアを備えてもよい。これにより、食品材料又は切断された食品材料部分に係合する対向表面の搬送速度を個別に制御することができる。したがって、食品材料又は切断された食品材料部分は、対向する搬送面に対して傾斜していてもよい。これにより、切断された食品材料部分を、送出しコンベアに対する送出し押下コンベアの速度に応じて、送出しコンベアの表面において横になる又は立つように、選択的に配向することができる。
【００３２】
本発明のいくつかの実施形態では、送出しコンベアの搬送面は、第１平面を形成し、送出し押下装置の搬送面は、第２平面を形成し、第１及び第２の平面は、切断ナイフの少なくとも切断面の近くで０−２５度の角度を形成し、切断ナイフの切断面は、切断ナイフの少なくとも切断面の近くで第１平面と８５−９５度の角度を形成する。この場合、送出しコンベア及び送出し押下装置の搬送面は、食品材料又は切断された食品材料部分と、搬送面との間の接触面積を最適化するために、切断ナイフの切断面の近くで、比較的小さな角度を形成する。また、送出しコンベアの搬送面がその近傍の切断ナイフの切断面に少なくとも垂直に近いことは、切断ナイフによる境界がより明確な切断を可能にする。
【００３３】
送出しコンベアの搬送速度（速度）の大きさ及び／又は送出し押下装置の搬送速度（速度）の大きさは、送出しコンベアの表面に平行で送出しコンベアの搬送方向に直交する軸周りに各食品材料を回転するように、など、それら２つの搬送速度（速度）の搬送方向に平行な（任意的に水平の）成分（要素）が異なるように、互いに相対的に調整されてもよい。これは、例えば、食品材料の重心を下げることができる場合（例えば、それをより安定した方向に配置するために。例えば、細長い直立した食品材料の場合、より大きな支持面に横になるように回転される）に、有利であるかもしれない。
【００３４】
本発明のいくつかの実施形態では、送出しコンベアの搬送面は、第１平面を形成し、送出し押下装置の搬送面は、第２平面を形成し、第１及び第２の平面は、切断ナイフの少なくとも切断面の近くで、２５度未満のゼロではない角度（＞０；２５＜  度などの、＜１；２５＜  度などの、＜５；２０＞  度などの）を形成する。
【００３５】
第１及び第２の平面がゼロ以外の角度を形成する実施形態では、送出しコンベアの搬送スピード（速度）の大きさ、及び／又は送出し押下装置の搬送スピード（速度）の大きさは、これらの２つの搬送スピード（速度）の搬送方向に平行な（任意的に水平な）成分が、実質的に一致、例えば互いに等しい等、するように、互いに対して調整されてもよい。
【００３６】
一実施形態によれば、切断システムは、以下のものを制御するように構成されたコントローラを備える、
-切断を実行する切断ナイフ、
さらに下記のものを制御する、
-送出しコンベアの搬送速度、及び/又は
-送込みコンベアの搬送速度、
ここでコントローラは、切断ナイフが切断を実行した後に、例えば切断ナイフが切断を実行した直後、及び／又は切断ナイフが２つの連続した切断を実行する間などで、切断ナイフの切断面から離れる下流方向などにおける送出しコンベアの搬送速度が、切断ナイフ切断面の方への下流方向などにおける送込みコンベアの搬送速度よりも大きいように、上のものを制御する。これにより、食品材料から切断されている切断食品部分を、食品材料の残りの部分よりも速いスピードで切断ナイフの切断面から離すことができる（加速に関して、以下で挿入されるさらに詳細なコメントが必要な変更を加えて、ここでも適用される）。「直後」とは、切断ナイフが切断を行ってから１秒以内、例えば０．５秒以内、例えば０．１秒以内、例えば０．０１秒以内と理解することができる。
【００３７】
「よりも大きい」とは、一般に、特にコンベアの速度及び／又は加速度の文脈において、少なくとも１％大きい、例えば少なくとも２％大きい、例えば少なくとも５％大きい、例えば少なくとも１０％大きい、例えば少なくとも５０％大きい、例えば少なくとも１００％大きいなど、と理解することができる。
【００３８】
送込みコンベア及び送出しコンベアのそれぞれは、一般に、切断前、切断中、及び切断後においてゼロを超える速度を維持する。しかしながら、送込みコンベア及び送出しコンベアの一方又は両方は、例えば切断中又は切断直後に、停止されることが考えられる。
【００３９】
一実施形態によれば、切断システムは、以下のものを制御するように構成されたコントローラを備える、
-切断を実行する切断ナイフ
及び、さらに以下を制御する、
-送出しコンベアの搬送速度、及び/又は
-送込みコンベアの搬送速度、
ここでコントローラは、切断ナイフが切断を実行した後に、例えば切断ナイフが切断を実行した直後、及び／又は切断ナイフが２つの連続した切断を実行する間などで、初めには切断ナイフの両側において隣接する食品材料間の距離が増加するように、上のものを制御する。「増加」とは、相対的用語において「増加した」と理解することができ、例えば少なくとも１％大きくなる、例えば少なくとも２％大きくなる、例えば少なくとも５％大きくなる、例えば少なくとも１０％大きくなる、例えば少なくとも５０％大きくなる、例えば少なくとも１００％大きくなるなど、のように増加する、又は、絶対的用語において「増加した」と理解することができ、例えば少なくとも１ｍｍにて、例えば少なくとも２ｍｍにて、例えば少なくとも５ｍｍにて、少なくとも１０ｍｍにて、例えば少なくとも２０ｍｍにて、例えば少なくとも５０ｍｍにてなど、のように増加すると理解することができる。
【００４０】
切断システムは、少なくとも送出しコンベアの搬送速度を制御し、切断を実行するために切断ナイフを制御するように、さらに、切断ナイフが切断を実行したときに、切断ナイフの切断面から離れるように送出しコンベアの搬送面を加速するように、構成されたコントローラを備えてもよい。これにより、食品材料から切断された切断食品部分を、切断ナイフの切断面から離れるように加速することができる。まず第１に、このことは、切断ナイフが切断するのと同じ経路に沿ってそれが後退可能なので、送出しコンベアにおける切断された食品部分が切断ナイフに付着するリスクを低減することができる。第２に、切断された食品部分は、食品材料から離れて、よって切断される次の食品部分からも離れて加速され、したがって、送出しコンベアにおける切断された食品部分が不必要に互いに付着するリスクを低減する。第３に、粘着性ではない切断された食品部分の場合でさえ、例えば、仕分け及び／又は梱包の目的のため、互いからそれらを取り出すプロセスを容易にするために、送出しコンベアにおいて、切断された食品部分を離して配置するのに有利であることができる。
【００４１】
一実施形態によれば、切断システムは、送出しコンベアの少なくとも搬送速度を制御し、かつ切断を実行する切断ナイフを制御するように、さらに、切断ナイフが切断を実行した後に、例えば、切断ナイフが切断を実行した直後、及び／又は切断ナイフが２つの連続した切断を実行する間などに、切断ナイフの切断面から離れるように送出しコンベアの搬送面を加速するように、構成されたコントローラを備える。
【００４２】
「加速」とは、送込みコンベアと相対的なものであると理解してもよく、例えば、加速は、切断面を横切る下流方向において正の加速勾配があるということを意味してもよい。加速は、送出しコンベアの加速が送込みコンベアの加速よりも大きいことを意味してもよい（例えば、送込みコンベアの加速がゼロ又は正の値から負の値に変化した場合において、下流方向において正の加速勾配が達成可能であるなど、符号を考慮して）。
【００４３】
コントローラはさらに、切断ナイフが切断を実行するとき、切断ナイフの切断面から離れるように送出し押下装置の搬送面を加速するように構成されてもよい。これにより、２つの対向する搬送面、つまり送出しコンベア及び送出し押下装置の搬送面、の移動によってもたらされる切断された食品部分の加速の制御を強化することができる。したがって、より効果的な加速が達成可能である。それはさらに、切断された食品部分の傾斜／回転用の対向する搬送面の異なる加速速度を可能にする。
【００４４】
一実施形態によれば、送出し押下装置は、送出し搬送面に面する表面を有するコンベア手段を含み、ここでコントローラは、切断ナイフが切断を実行した後に、例えば切断ナイフが切断を実行した直後、及び／又は切断ナイフが２つの連続した切断を実行する間など、切断ナイフの切断面から離れるように送出し押下装置の表面を加速するようにさらに構成される。
【００４５】
送出しコンベアの搬送面が第１平面を形成し、送出し押下装置の搬送面が第２平面を形成する本発明の実施形態では、第１及び第２の平面は、少なくとも切断ナイフの切断面の近くで０−２５度の角度を形成し、切断ナイフの切断面が少なくとも切断ナイフの切断面の近くで第１面と８５−９５度の角度を形成し、切断ナイフは、第２平面から第１平面に向かう方向において食品材料を切断することによって食品材料を切断するように構成されてもよい。これにより、切断中に送出し搬送面に対して食品材料が移動するリスクを最小限にするため、切断ナイフが送出しコンベアの支持面に向かう方向に食品材料に力を加えることができる。
【００４６】
この場合、送出しコンベアよりも高速で送出し押下装置のコンベアを加速するように構成されたコントローラを有することが特に有利であるかもしれない。「よりも高速」とは、例えば、より大きい割合で生じる速度変化等、加速がより大きいと理解してもよい。これにより、食品材料が切断されているときでさえ、つまり切断ナイフが食品材料を通り切断している間でさえ、食品材料の切断された部分を食品材料の切断されていない部分から分離する方法で、送出し押下装置のコンベアの加速を切断ナイフにより時間を調整することが可能になる。これにより、切断された食品材料部分が切断ナイフに付着するリスクをさらに低減することができる。
【００４７】
コントローラはさらに、送込みコンベアの搬送速度を制御し、送出しコンベアが加速されている間、送込みコンベアの搬送速度を一定に保つように構成されてもよい。したがって、送込みコンベアの加速は、切断システムの通常の動作中はゼロであり、このことは、食品材料を送込みコンベアへ供給する一又は複数の装置が、通常動作中、送込みコンベアの速度変化を考慮する必要が無いので、送込みコンベアへの食品材料の移送を容易にするかもしれない。
【００４８】
切断システムのコントローラが、送出しコンベアの搬送面及び／又は送出し押下装置の搬送面を切断ナイフの切断面から離れるように加速するように構成される本発明の実施形態では、コントローラは、さらに、第１の期間の後に、送出しコンベアの搬送面及び／又は送出し押下装置の搬送面を減速するように構成されてもよい。これにより、送出しコンベア及び送出し押下装置の搬送速度を、切断ナイフの切断面から離して加速する前のように、それぞれの元の搬送速度に戻すことができる。加速、減速、及び第１の期間の制御は、送出しコンベアの搬送面における個々の切断された食品材料部分間の距離の制御を可能にする。
【００４９】
本発明のいくつかの実施形態では、切断システムのコントローラは、食品材料が送出しコンベアの搬送面に係合するときで、送込みコンベアと送出しコンベアとの搬送速度が同じになるように制御するように構成される。これは、食品材料が切断されるときに不規則に引き伸ばされるリスクを軽減する。食品材料が引き伸ばされて、かつ食品材料が不均一な弾性を有する場合に、不規則な引き伸ばしが発生する可能性がある。不均一な弾性は、例えば、骨、腱、脂肪組織、きめが粗い組織などから生じるかもしれない。そのような不規則な引き伸ばしは、不正確に制御された切断食品材料部分のサイズ／重量につながる可能性がある。
【００５０】
一実施形態では、切断システムの１又は複数の制御システムは、送込みコンベアの上流に配置されたスキャナからデータを受信し、受信したデータに基づいて輪郭を計算し、計算された輪郭に基づいて、送出し及び/又は送込み押下装置の高さを制御するようにさらに構成される。
【００５１】
送込み押下装置の表面及び／又は送出し押下装置の表面は、それぞれの押下装置と食品材料あるいは切断された食品材料部分との間の接触を増すために、食品材料の輪郭に少なくとも部分的に適応可能にするように柔軟であってもよい。
【００５２】
一実施形態によれば、送出し押下装置の一部、例えば送出し押下装置及び送込み押下装置のそれぞれの一部で、垂直下（又は、非水平の送出しコンベアの場合、送出しコンベアの表面に垂直な方向において）の搬送面に最も近い部分、及び／又は切断面に最も近い部分は、上記搬送面に垂直方向で、かつ食品材料によってそこから離れる方向において変位するように、例えば、少なくとも１ｍｍ、又は２ｍｍ、又は５ｍｍ、又は１０ｍｍ等で、例えば、上記変位のために食品材料によって作用される力が１００ニュートン以下、例えば１ニュートン以下、１０ニュートン以下等で、変位するように配置される。これによる可能な利点は、食品材料が送込み押下装置及び／又は送出し押下装置を変位することができ、このことは、ギャップのサイズが食品材料のサイズに自動的に対応すること、及び／又は食品材料に作用する力が過小、過大にならないことを保証可能なことである。この実施形態は、多数の方法で、例えば、上記変位がばね、弾性要素の変形、及び／又はおもりの垂直変位を伴うように、送込み押下装置及び／又は送出し押下装置を配置することによって実現することができる。
【００５３】
一実施形態によれば、送出し押下装置と切断ナイフとの間の距離は、少なくとも切断中では、５０ｍｍ以下、例えば４０ｍｍ以下、例えば３０ｍｍ以下、例えば２５ｍｍ以下、例えば２０ｍｍ以下、例えば１５ｍｍ以下、例えば１０ｍｍ以下、例えば５ｍｍ以下、などである。小さな距離を有する利点は、切断中の食品材料のより良い把持を確実にし、それにより高い切断品質を確保することができることである。
【００５４】
一実施形態によれば、少なくとも食品材料がない場合、送出し押下装置と送出しコンベアとの間の、例えば最小距離などの、距離は、２００ｍｍ以下、例えば１００ｍｍ以下、例えば５０ｍｍ以下、例えば４０ｍｍ以下、例えば３０ｍｍ以下、例えば２５ｍｍ以下、例えば２０ｍｍ以下、例えば１５ｍｍ以下、例えば１０ｍｍ以下、例えば５ｍｍ以下である。小さい距離を有する利点は、小さな食品材料が送出し押下装置に到達しないというリスクを低減可能であることである。
【００５５】
一実施形態によれば、システムは、送込み押下装置を備え、ここで、少なくとも食品がない場合の、送込み押下装置と送込みコンベアとの間の、例えば最小距離などの距離は、２００ｍｍ以下、例えば１００ｍｍ以下、例えば５０ｍｍ以下、例えば４０ｍｍ以下、例えば３０ｍｍ以下、例えば２５ｍｍ以下、例えば２０ｍｍ以下、例えば１５ｍｍ以下、例えば１０ｍｍ以下、例えば５ｍｍ以下、例えば０ｍｍなど、である。小さい距離を有する利点は、小さな食品材料が送込み押下装置に到達しないというリスクを低減又は排除することができることである。
【００５６】
一実施形態によれば、システムは、入ってくる食品材料を受け取り、回転させるように構成された回転装置をさらに備え、例えば入ってくる食品材料は、コンベア手段によって搬送されている間に、切断ナイフによって切断されたものであり、ここで入ってくる食品材料の長手方向軸は、入ってくる食品材料の搬送方向に対して第１角度を形成する。上記回転装置は、以下のものを備える：
−入ってくる食品材料の前部のほとんどの食品材料と係合するように構成された第１の回転装置、及び
−第１の回転装置に接続され、前部のほとんどの食品材料の長手方向軸が第１の回転装置によって解放されたときに食品材料の搬送方向に対して第２角度を形成するように、前部のほとんどの食品材料と係合しながら第１の回転装置の角度位置を調整するように構成された第１の移動機構。
【００５７】
一実施形態によれば、システムは、食品材料の少なくともいくつかを搬送するために配置された２つのコンベアをさらに備えてもよく、任意的に、２つのコンベアの少なくとも１つは、切断ナイフの下流に配置され、例えば２つのコンベアーが送込みコンベア及び送出しコンベアであるなどの終端間配置で配置されており、当該切断システムは、さらに以下のものを備える：
−２つのコンベア間のギャップを開く又は閉じるなど、２つのコンベア間の相対位置を調整する移動機構と、
−例えば、他の１つ以上の選択された食品材料はさらに下流へ搬送されながら、１つ以上の選択された食品材料がギャップに落ちてもよいように、２つのコンベア間のギャップを開く又は閉じるように移動機構を制御する制御装置。
【００５８】
このように配置されたそのような２つのコンベアの例は、ＷＯ１８２２９２０６Ａ１の出願において提供されており、これは、その全体が参照により本明細書に組み込まれる。
【００５９】
本明細書に記載の切断システムは、食品材料加工ライン又はシステムに組み込まれてもよく、食品材料加工システムは、例えば、第１の切断システム、回転装置、及び第２の切断装置（任意的にその順序で、すなわち、第１の切断システムと第２の切断システムとの間に回転装置を有する）を備えてもよい。食品材料加工システムにおいて、入ってくる食品材料は、本明細書に記載するような第１の切断システムに提供され、送込み搬送手段によって搬送されてもよく、送込み搬送手段では、第１の感知手段が食品材料をスキャンして、食品材料を説明するデータを、第１の切断システムを制御するために構成された制御手段に提供する。第１の切断システムは、食品材料を、例えば食品材料片に切断するように制御されてもよい。食品材料片は、搬送方向に対して第１角度を形成する長手方向軸を有してもよい。食品材料加工システムは、例えば、食品材料片の長手方向軸が搬送方向に対して第１角度から搬送方向に対して第２角度に調整されるように、食品材料片の角度位置／配向を調整するように配置された回転装置をさらに備えてもよく、これは、例えば、搬送手段において食品材料片を９０度回転させて、回転前、回転中、回転後に食品材料の下側を下側として維持するようなものである。第２の感知手段が、回転装置の送出し搬送手段における食品材料片をスキャンして、食品材料片を説明するデータを、第２の切断システムにおける第２の切断手段を制御するように構成された制御手段へ、提供するようにしてもよい。第２の切断システムは、食品材料片を、例えば食品材料キューブに切断するように制御されてもよい。第２の切断システムは、例えば本明細書に記載するような切断システムの、少なくとも１つの切断システムを備えてもよい。
【００６０】
本発明のいくつかの実施形態では、切断システムは、送込み押下装置をさらに備え、ここで方法は、以下のステップを備える：
食品材料が同時に、送込みコンベアに対して押圧され、かつ送出しコンベアに対して押圧されながら、切断ナイフが食品材料を切断面において切断する。
【００６１】
食品材料が切断ナイフによって切断されている間、食品材料を送込みコンベア及び送出しコンベアに同時に押圧することは、切断中の各送込みコンベア及び送出しコンベアに対する食品材料の不動性を改善することができる。このことは、切断中の食品材料の望ましくない移動を最小化することにより、より制御された切断が可能になる。これはさらに、切断中の切断ナイフの切断面に対する食品材料の動きの改善された制御を可能にする。
【００６２】
本発明のいくつかの実施形態では、この方法は、以下のステップをさらに備える：
切断ナイフが切断を実行するとき、切断ナイフの切断面から離れるように送出しコンベアの搬送面を加速すること。
【００６３】
第１に、このことは、切断ナイフが切断するのと同じ経路に沿ってそれが後退するときに、送出しコンベアにおける切断された食品材料部分が切断ナイフに付着するリスクを低減することができる。第２に、切断された食品材料部分は、食品材料から離れて加速され、よって、切断される次の食品材料部分からも離れて加速され、したがって、送出しコンベアにおける切断された食品材料部分が互いに望ましくなく付着するリスクを低減する。第３に、非粘着性の切断された食品材料部分の場合でさえ、例えば、仕分け及び／又は梱包の目的のため、それらを互いから取り出すプロセスを容易にするために、送出しコンベアにおいて食品材料部分を離して配置するのに有利であることができる。
【００６４】
一実施形態によれば、この方法は、以下のステップをさらに備える：
−切断ナイフが切断を実行した後に、例えば、切断ナイフが切断を実行した直後、及び/又は切断ナイフが２つの連続した切断を実行する間など、切断ナイフの切断面から離れるように送出しコンベアの搬送面を加速すること。
【００６５】
一実施形態によれば、この方法は、以下のステップをさらに備える：
−下記のように以下事項を制御すること、
送出しコンベアの搬送速度、及び/又は
送込みコンベアの搬送速度、
例えば切断ナイフの切断面から離れる下流方向において、送出しコンベアの搬送速度は、例えば切断ナイフの切断面へ向かう下流方向において、切断ナイフが切断を実行した後に、例えば切断ナイフが切断を実行した直後、及び／又は切断ナイフが２つの連続する切断を実行する間、送込みコンベアの搬送速度よりも大きいように、制御する。
【００６６】
一実施形態によれば、この方法は、以下のステップをさらに備える：
−下記のように以下事項を制御すること、
送出しコンベアの搬送速度、及び/又は
送込みコンベアの搬送速度、
切断ナイフが切断を実行した後に、例えば切断ナイフが切断を実行した直後、及び／又は切断ナイフが２つの連続した切断を実行する間、最初に切断ナイフの両側に隣接する食品材料間の距離が増加するように、制御する。
【００６７】
距離の増加は、多くの方法において達成されてもよく、以下のものを含むが、これらに限定されない：
−一定の送出しコンベア速度が一定の送込みコンベア速度よりも大きい状態で、送出しコンベア速度と送込みコンベア速度との両方を一定に保つ（つまり、切断前/切断中/切断後で同じ）、
−切断後、例えば切断直後など、下流方向において、送込みコンベアよりも送出しコンベアの大きな加速を提供する（下流方向におけるこの大きな加速は、送出しコンベアの加速を増加することによって、及び/又は送込みコンベアの加速を減少−例えば任意的にゼロ未満の負の方向など）することによって、提供可能であることに注意）、
−切断直後に、送込みコンベア及び送込みコンベア押下を減速して、送出し側における食品材料部分と送込み側の残りの肉との間に分離を生成する。その場合、送出しコンベア及び送出し押下の速度は、必ずしも変更しない。分離が行われた後、送込み速度は、再び加速される。
−上述の箇条書き方法の組み合わせ。
【図面の簡単な説明】
【００６８】
【図１】図１は、具現化された切断システムの概略断面図である。
【図２】図２は、別の具体化された切断システムの概略断面図である。
【図３】図３は、第１の切断システム、回転装置、及び第２の切断システムを設けた加工ラインを示す。
【発明を実施するための形態】
【００６９】
図面の詳細な説明
次に、本発明の実施形態を、添付の図面を参照してさらに説明する。
図１の実施形態は、食品材料３を切断するための切断システム１である。図１の断面図において、食品材料３は、送込みコンベア７の送込み搬送面５及び送出しコンベア１１の送出し搬送面９によって支持されている。送込みコンベア７の搬送方向は、矢印８で示され、送出しコンベア１１の搬送方向は、矢印１２で示されている。図示の状況では、食品材料３は、切断ナイフ１３によって切断されている。切断ナイフ１３は、矢印１５によって示される切断面において切断する。切断面は、送込み及び送出しコンベア７、１１の端部間において延在し、切断ナイフ１３の切断面の近くにおける送込み及び送出しコンベア７、１１の搬送面５、９によって形成される第１及び第２の平面に垂直である。図１に示される状況の前に、食品材料３は、送込みコンベア７のみによって支持された後、ある点で、送出しコンベア１１の搬送面９に係合した。送込みコンベア７及び送出しコンベア１１の搬送速度は、食品材料３が送出しコンベア１１の送出し搬送面９に係合した時点で同じであった。このことは、食品材料３が不規則に引き伸ばされるリスクを最小にした。
【００７０】
図１の実施形態では、食品材料３は、食品材料３が切断されながら、送出し押下装置１７によって送出し搬送面９に押圧される。これは、食品材料が切断されている間、送出し搬送面９に対して食品材料を不動にするのに役立つ。それはさらに、食品材料３から切断された後、送出し搬送面９に対して切断された食品材料部分１９を不動にするのを助ける。
【００７１】
図１の送出し押下装置１７は、送出し搬送面９に面する搬送面２３を有するコンベア２１を備える。これは、食品材料３又は切断された食品材料部分１９と係合する、対向する搬送面９，２３の搬送速度を個別に制御することを可能にする。送出し押下装置のコンベア２１の搬送方向は、矢印２２で示されている。また図１においても、送出しコンベア７及び送出し押下装置１７のコンベア面９、２３は、食品材料３又は切断された食品材料部分１９と搬送面９、２３との間の接触面積を最適化するために、切断ナイフ１３の切断面の近くにおいて平行である。また、送出しコンベア１１の搬送面９は、その近傍で切断ナイフ１３の切断面に垂直であり、切断ナイフ１３による明確な切断を可能にする。
【００７２】
図１の実施形態において、切断システム１は、食品材料３を第１速度で搬送するために送込みコンベア７を制御し、食品材料３を第２速度で搬送するために送出しコンベア１１を制御し、及び、第３速度で移動しながら切断を同時に実行するように切断ナイフ１３を制御するように構成された制御ユニット（不図示）を備える。一実施形態では、第３速度は、第１速度及び第２速度の両方よりも少なくとも１０倍大きい。したがって、食品材料３は、切断ナイフ１３によって切断されている間、移動している。これにより、食品材料３が切断されながら、送込み及び送出しコンベア７、１１が食品材料３を搬送しているので、切断システム１の効率を改善することができる。切断ナイフ１３が食品材料３を切断するとき、切断ナイフ１３は、送込み及び送出しコンベア７、１１よりもはるかに高速で移動するので、送込み及び送出しコンベア７、１１は、切断実行のために減速する必要がないかもしれない。
【００７３】
図１の切断システム１の制御システムは、切断ナイフ１３が切断を実行するときに、送出しコンベア１１の搬送面９を、切断ナイフ１３の切断面から離れるように加速するようにさらに構成される。これにより、切断された食品材料部分１９と、それが切断された食品材料３と及び切断ナイフ１３と、の間に距離が生成される。コントローラは、切断ナイフ１３が切断を行うとき、送出し押下装置１７の搬送面２３を、切断ナイフ１３の切断面から離れるように加速するように構成される。これにより、より効果的な加速が可能になり、及び切断された食品材料部分１９の傾斜／回転を達成するために、対向する搬送面９、２３の異なる加速割合が可能になる。送込みコンベア７の搬送速度は、切断ナイフ１３が食品材料３を切断する間も、コントローラによって一定に保たれる。
【００７４】
図２は、図２の実施形態が送込み押下装置２５を備えることを除いて、図１の実施形態と同様の切断システムの実施形態の断面図である。送込み押下装置２５は、送込みコンベア表面５に面する搬送面２９を有するコンベア２７を備える。送込み押下装置２５のコンベア２７の搬送方向は、矢印２８で示されている。コンベア２７は、送込みコンベア７の搬送速度と同じ速度で搬送面２９を移動するように制御される。これは、切断ナイフ１３の送込み側において食品材料３と係合する、対向する表面５，２９が同期して移動し、食品材料３が切断されているときの転位を回避することを確実にする。
【００７５】
図１及び図２の切断システム１の制御システムは、さらに、送込みコンベア７の上流に配置されたスキャナ（不図示）からのデータを受信し、受信したデータに基づいて輪郭を計算し、及び、計算された輪郭に基づいて送出し押下装置１７の高さを制御するように構成される。高さは、矢印３１に示すように、送出し押下装置１７全体を上又は下に動かすことによって調整される。この高さ調整は、送出し押下装置１７と、矢印１５で示された切断面との間の距離を変えることなく実行可能である。図２の実施形態では、送込み押下装置２５の高さも、矢印３３によって示されるように、計算された輪郭に基づいて送込み押下装置を上又は下に動かすことによって調整される。したがって、送出し押下装置１７、及び場合によっては送込み押下装置２５の高さは、食品材料３又は切断された食品材料部分１９の輪郭に追従するように、それぞれの押下装置１７，２５を通過するように、調整される。
【００７６】
以下は、具現化された方法及び切断システム１を使用して、食品材料３を切断食品材料部分１９に切断する順序の例である。最初に、食品材料３は、送込みコンベア７の搬送面５に搬送される。図２のシステムでは、次に、食品材料３は、送込みコンベア７に対してそれを押し付ける送込み押下装置２５と係合する。送込み押下装置２５のコンベア２７の搬送速度は、送込みコンベア７の搬送速度に等しく（例えば、送込みコンベア及び送込み押下装置の各速度の搬送方向における速度成分が等しい）、及び、送込み押下装置２５の高さは、前のスキャンから計算された輪郭に基づいて、食品材料３の輪郭に従うように調整される。
【００７７】
次に、食品材料３は、送出しコンベア１１の搬送面９上に搬送され、送出し押下装置１７の搬送面２３と係合する。この段階で、送出し押下装置１７の送出しコンベア２３の搬送速度は、送込みコンベア７及び送出しコンベア１１の搬送速度に等しい。また、送出し押下装置１７の高さは、前のスキャンに基づいて食品材料３の輪郭に追従するように調整される。したがって、食品材料３は、送込みコンベアと送出しコンベア９、１１間、及びそれにより切断ナイフ１３の切断面にも、浮かされる。
【００７８】
次に、食品材料３は、送込みコンベア７、送込み押下装置２５、送出しコンベア１１、及び送出し押下装置１７のそれぞれと接触している間に、切断ナイフ１３によって切断される。切断ナイフが食品材料３を切断して切断食品材料部分１９を形成した直後に、送出しコンベア１１及び送出し押下装置１７のコンベア２１は、切断された食品材料部分１９を切断ナイフ１３の切断面から離れるように加速する。この加速は、この段階で食品材料３が一定速度で送込みコンベアによって搬送されているので、切断された食品材料部分１９と食品材料３との間に距離を生成する。
【００７９】
次に、送出しコンベア１１及び送出し押下装置１７のコンベア２１は、食品材料３が送出しコンベア１１及び送出し押下装置１７と係合する前に、送込みコンベア７の搬送速度に一致するように減速する。その後、この順序が繰り返される。
【００８０】
図３に示すように、本明細書に記載の切断システム３０３は、食品材料加工ライン又はシステム３００に組み込まれてもよく、システム３００は、さらに、回転装置１００及び第２の切断システム３４０を設けている。このシステムは、食品材料を細長い片に、これはその後、立方体（キューブ）に切断される、切断することによって示されている。他のタイプの切断が、そのような食品材料加工ライン３００において実行されてもよい。切断システム３０３はまた、食品材料において１つ又は複数の切断を実行するスタンドアロンシステムであってもよい。
【００８１】
図３は、押下装置を示しておらず、これは、第１の切断システム３０３及び／又は第２の切断システム３４０に組み込まれてもよい。
【００８２】
システム３００において、入ってくる食品材料３３４は、第１の切断システム３０３に提供され、第１の送込み搬送手段３３５によって搬送方向３１３に搬送される。第１の感知手段３３０は、送込み搬送手段３３５における食品材料３３４をスキャンし、食品材料３３４を説明するデータを、第１の切断手段３３３を制御するように構成されたコンピューティングユニット３３１などの制御手段に提供する。第１の切断手段３３３は、食品材料３３４を食品材料片３０１に切断するように制御されてもよい。食品材料片３０１は、搬送方向に対して第１角度を形成する長手方向軸を有してもよい。
【００８３】
図３に図示される例では、第１の切断手段３３３は、例えば第１の送込み搬送手段３３５及び第２の送込み搬送手段３３６によって形成されるギャップを通るブレードの回転３３２などによって、搬送方向３１３に垂直な方向に食品材料３３４を切断するように位置決めされてもよい。第２の送込み搬送手段は、得られた食品材料片３０１を搬送方向３１３において回転装置１００へ搬送するように構成されてもよい。
【００８４】
回転装置１００は、例えば、食品材料片の長手方向軸が搬送方向３１３に対する第１角度から搬送方向３１３に対する第２角度まで調整されるように、食品材料片３０１の角度位置を調整するように構成される。図３による実施形態では、回転装置１００は、食品材料片３０１を、第２の送込み搬送手段３３６から、切断手段３４０を備える第２の切断装置の送出し搬送手段３２０、３２１へ、さらに移動させる。
【００８５】
第２の感知手段３３７は、送出し搬送手段３２０、３２１における食品材料片３０１をスキャンし、食品材料片３０１を説明するデータを、切断手段３４０を制御するように構成されたコンピューティングユニット３３８などの制御手段に提供する。切断手段３４０は、食品材料片３０１を食品材料キューブ３４２へ切断するように制御されてもよい。
【００８６】
図３に図示する例では、切断手段３４０は、送出し搬送手段３２０、３２１によって形成されるギャップ（不図示）でブレードの回転３３９、３４１によって、搬送方向３１３に垂直な方向に食品材料片３０１などの食品材料を切断するように位置決めされてもよい。
【図１】
2022502272.tif 000003
【図２】
2022502272.tif 000004
【図３】
2022502272.tif 000005
【国際調査報告】
2022502272.tif 000006
2022502272.tif 000007
2022502272.tif 000008
2022502272.tif 000009
2022502272.tif 000010
2022502272.tif 000011
2022502272.tif 000012